(57)【要約】      （修正有）【課題】視覚障害者が電話番号の入力にテンキーを用いることなく、音声入力のみによって通話希望相手先の電話番号を正確に入力できる、携帯電話及び情報通信端末装置を提供する。【解決手段】入力キー操作の変わりに、テンキー対応の音声変換専用ＣＰＵを携帯電話の通信ソフト回路のテンキー入力部に置き換えることによって、視覚障害者でも容易に使用できる携帯電話を作り出すことを得た。【選択図】図１
2007097106.tif 000002
【特許請求の範囲】
【請求項１】
テンキー入力に替えて、音声変換ＣＰＵを用いることによって、数字読み上げ音声による電話番号の入力を可能とした音声入力携帯電話器。
【請求項２】
請求項１の機能により操作面からテンキーの配置をなくし、電源ＨＬＤキー２、通話キー３、吹込キー４、復唱キー５、登録キー６、マナーモードキー７のやや大きめのキーのみを具備してなる音声入力携帯電話器。
【請求項３】
請求項２の６キーをメインのキーとし、これに音量調節キー１０、確定キー１１、補助前進キー１２、補助後進キー１３、削除キー１４を追加具備してなる高性能の音声入力携帯電話器。
【請求項４】
全てのまたは一部のキーの表面に、各キーを識別できる点字文字を具備してなる音声入力携帯電話器。
【発明の詳細な説明】
【産業上の利用分野】
【０００１】  本発明は携帯電話に関する。
【背景技術】
【０００２】  従来の携帯電話は、小型軽量の軽便さ技術的に追求するものであった。
【発明が解決しようとする課題】
【０００３】  携帯電話の小型軽量化への技術競争は、健常者にとっては有用なものであっても、小型軽量化による入力キーのいっそうの小型化は、指先の感覚に頼るしかない視覚障害者が操作するには不適切なものであった。
【課題を解決するための手段】
【０００４】  本発明は携帯電話の操作盤上の入力キーの数を少なくして、指先操作の負担を減らすことで、視覚障害者の使用に適した携帯電話を作り出すことを目的としている。
【０００５】  上記目的を達成するために本発明は、電話番号を入力する入力用テンキー操作に変えて、電話番号数値読み上げ音声の音声振動波形を電気的に読み取る音声変換ＣＰＵを用いることによって、テンキー操作を回避することで不要となったテンキーを、携帯電話の操作盤上から排除することで入力キーの数を少なくし、携帯電話盤上のキーの数を少なくすることを得た。
【発明の詳細な説明】
【０００６】  図１、図２に示すように、１は音声入力携帯電話器本体、２は電源ＨＬＤキー、３は通話キー、４は吹込キー、５は復唱キー、６は登録キー、７はマナーモードキー、８は液晶画面、９はアンテナ頭部である。
【０００７】  電源ＨＬＤキー２とマナーモードキー７は従来の携帯電話と同様の機能を持ち、通話キー３は受話器の機能、吹込キー４は音声書込み専用キーで従来のテンキー及び文字キーの機能を果たし、復唱キー５は吹込キー４での音声書込みの内容を確認に用いるためのキー、登録キー６はメモリーへの登録キー、液晶画面８は弱視者用の画面である。
【０００８】  図２の１０は音量調節キー、１１は確定キー、１２は補助前進キー、１３は補助後進キー、１４は削除キーである。
【０００９】  音量調節キー１０はスピーカーの音量を調節するキー、調節操作キー１１は調節またはメモリー呼出しスタートおよび確定キー、補助前進キー１２は音量増大またはメモリー順送りキー、補助後進キー１３は音量減少またはメモリー逆送り用のキー、削除キー１４はメモリーの削除キーである。
【００１０】  全ての、または一部のキーの表面には、指先の感覚で各キーを識別するための点字文字を備えせしめている。
【発明実施の形態】
【００１１】  発明実施の形態を実施例にもとづき図面を参照して説明する。
図１および図２の音声入力携帯電話器１において、電源ＨＬＤキー２を押すと電源が入り、２秒以上押し続けると電源は切れるが、電源を切らない限り電話機能は継続的に維持される。
【００１２】  通話キー３は受話器の機能を持ち、このキーを押すと受話器の機能が開始され、通話の終了には、電源ＨＬＤキー２を押すと受話器の機能が解除される。
【００１３】  吹込キー４は音声書込み専用キーで従来のテンキー及び文字キーの機能を果たすもので、電話をかけるときはこのキーを押して相手先の電話番号を読み上げる。
【００１４】  復唱キー５を押すと、今読み上げた相手先の電話番号が復唱されるので、読み上げ内容を確認することができるが、この復唱キー５を押さないかぎりインターフェイス機能により通信機能は働かず、相手との通話はできない。
【００１５】  受信音、受信合図振動を感知したら、まず復唱キー５を押すと相手先の電話番号が読み上げられ、通話キー３を押して通話を行うことができる。
【００１６】  復唱キー５を単独で押すと、送受信に関りなく最後に復唱された電話番号が復唱されるので、登録キー６を押すとその電話番号がメモリーに追加登録されるが、登録直後に復唱キー５を押すと登録番号が読み上げられて登録が完了する。
【００１７】  登録キー６を単独で押すと、メモリーされた電話番号が登録順に読み上げられるので、希望する番号が呼び終えたところで電源ＨＬＤキー２を押して読み上げを停止させ、復唱キー５を押しなおすと今の番後が復唱されるので、聞き終えたところで通話キー３を押せば、番号相手との通話が開始される。
【００１８】  マナーモードキー７を押すと、一般の携帯電話器と同様に、受信音は消されて振動信号のみとなり、再びマナーモードキー７を押すと、受信音は復活し、振動信号と重なることとなる。
【００１９】  図２の音量調節キー１０はスピーカーの音量を調節するキーだが、スピーカー音には着信信号音と復唱をふくむ受信会話音の２種類があり、音量調節キー１０は押されるたびにこの２種類の音を交互に繰り返すので、希望の音量のときに確定キー１１を押せば音量調節を始めることができる。
【００２０】  次いで、補助前進キー１２を押せば音量が段階的に大きくなり、補助後進キー１３を押せば音量は段階的に小さくなるので、希望の音量のときに確定キー１１を押せば音量はそこで確定される。
【００２１】  削除キー１４は登録メモリー専用のキーとして機能し、削除キー１４を押してから確定キー１１を押せばメモリー編集機能が確定する。
【００２２】  次いで、補助前進キー１２を押せばメモリー順が順次さかのぼりつつ復唱され、補助後進キー１３を押せばメモリー順序は順次繰り下がりつつ復唱されるので、希望の電話番号のときに確定キー１１を押せばその番号は削除される。
【発明の効果】
【００２３】  本発明は、以上説明したように構成されているので、以下に記載されるような効果を奏する。
音声変換ＣＰＵの機能的に活用する吹込キー４を使用することで、視覚障害者でもわずか６個のキー操作のみで携帯電話を使いこなすことが可能となった。
【００２４】  復唱キー５による入力データーの確認方式により、視覚障害者でも正確な電話通信を容易に行えることとなった。
【００２５】  確定キー１１と補助前進キー１２および補助後進キー１３の機能により、音量調節およびメモリーの編集が容易かつ正確に行えることとなった。
【００２６】  全ての、または一部のキーの表面には、指先の感覚で各キーを識別するための点字文字を備えているので、視覚障害者にも容易に正しく利用できる。
【図面の簡単な説明】
【００２７】
【図１】本発明の実施上面模式図
【図２】本発明の実施上面模式図
【符号の説明】
【００２８】（１）  音声入力携帯電話器
（２）  電源ＨＬＤキー
（３）  通話キー
（４）  吹込キー
（５）  復唱キー
（６）  登録キー
（７）  マナーモードキー
（８）  液晶画面
（９）  アンテナ頭部
（１０）  音量調節キー
（１１）  確定キー
（１２）  補助前進キー
（１３）  補助後進キー
（１４）  削除キー
【図１】
2007097106.tif 000003
【図２】
2007097106.tif 000004